【手続補正書】
【提出日】平成17年6月8日(2005.6.8)
【手続補正１】
【補正対象書類名】特許請求の範囲
【補正対象項目名】全文
【補正方法】変更
【補正の内容】
【特許請求の範囲】
【請求項１】
原本保証を行う画像を入力する画像入力手段と、
前記画像入力手段で入力した画像の原本保証を行う際の保証項目を、該画像の付与情報として入力する入力手段と、
前記画像入力手段で入力した画像の特徴量を抽出する抽出手段と、
前記原本保証を行う画像に関する情報を原本情報登録部に登録するために、前記画像に対応する前記付与情報及び前記特徴量を、該原本情報登録部に送信する送信手段と、
前記送信手段で送信した前記付与情報及び前記特徴量の前記原本情報登録部での登録が完了した旨を該原本情報登録部より受信した場合、前記付与情報に含まれる保証項目に応じた課金情報を生成する課金情報生成手段と、
を備えることを特徴とする画像処理装置。
【請求項２】
原本保証を行う原稿を読み取る読取手段を更に備え、
前記画像入力手段は、前記読取手段で読み取った原稿の画像を、原本保証を行う画像として入力する
ことを特徴とする請求項１に記載の画像処理装置。
【請求項３】
前記送信手段は、前記付与情報及び前記特徴量を前記原本情報登録部に、ネットワークを介して送信する
ことを特徴とする請求項１または２に記載の画像処理装置。
【請求項４】
前記画像の識別番号を前記原本情報登録部より受信する受信手段を更に備える
ことを特徴とする請求項１から３のいずれか１項に記載の画像処理装置。
【請求項５】
原本性の鑑定対象の画像に対する前記識別番号を入力する識別番号入力手段を更に備え、
前記識別番号入力手段で入力した識別番号と、前記鑑定対象の画像の特徴量とを原本情報鑑定部に送信して、該鑑定対象の原稿の鑑定結果を該原本情報鑑定部から受信する
ことを特徴とする請求項１から４のいずれか１項に記載の画像処理装置。
【請求項６】
前記課金情報生成手段は、前記鑑定結果を前記原本情報鑑定部より受信した場合、該鑑定に対する課金情報を生成する
ことを特徴とする請求項５に記載の画像処理装置。
【請求項７】
原本保証を行う画像を入力する画像処理装置とネットワークを介して接続された原本保証サーバであって、
前記画像処理装置から、画像の原本保証を行う際の保証項目を含む付与情報と、前記画像の特徴量を受信する受信手段と、
前記受信手段で受信した前記付与情報及び前記特徴量を登録する登録手段と、
前記登録手段による登録が完了した際に、前記付与情報に含まれる保証項目に応じた課金情報を生成する課金情報生成手段と、
を備えることを特徴とする原本保証サーバ。
【請求項８】
前記課金情報生成手段で生成した課金情報を記憶する記憶手段を更に備える
ことを特徴とする請求項７に記載の原本保証サーバ。
【請求項９】
原本保証を行う画像を入力する画像入力工程と、
前記画像入力工程で入力した画像の原本保証を行う際の保証項目を、該画像の付与情報として入力する入力工程と、
前記画像入力工程で入力した画像の特徴量を抽出する抽出工程と、
前記原本保証を行う画像に関する情報を原本情報登録部に登録するために、前記画像に対応する前記付与情報及び前記特徴量を、該原本情報登録部に送信する送信工程と、
前記送信工程で送信した前記付与情報及び前記特徴量の前記原本情報登録部での登録が完了した旨を該原本情報登録部より受信した場合、前記付与情報に含まれる保証項目に応じた課金情報を生成する課金情報生成工程と、
を備えることを特徴とする画像処理装置の制御方法。
【請求項１０】
原本保証を行う画像を入力する画像処理装置とネットワークを介して接続された原本保証サーバの制御方法であって、
前記画像処理装置から、画像の原本保証を行う際の保証項目を含む付与情報と、前記画像の特徴量を受信する受信工程と、
前記受信工程で受信した前記付与情報及び前記特徴量を記憶媒体に登録する登録工程と、
前記登録工程による前記記憶媒体への登録が完了した際に、前記付与情報に含まれる保証項目に応じた課金情報を生成する課金情報生成工程と、
を備えることを特徴とする原本保証サーバの制御方法。
【請求項１１】
原本保証を行う画像を入力する画像入力工程のプログラムコードと、
前記画像入力工程で入力した画像の原本保証を行う際の保証項目を、該画像の付与情報として入力する入力工程のプログラムコードと、
前記画像入力工程で入力した画像の特徴量を抽出する抽出工程のプログラムコードと、
前記原本保証を行う画像に関する情報を原本情報登録部に登録するために、前記画像に対応する前記付与情報及び前記特徴量を、該原本情報登録部に送信する送信工程のプログラムコードと、
前記送信工程で送信した前記付与情報及び前記特徴量の前記原本情報登録部での登録が完了した旨を該原本情報登録部より受信した場合、前記付与情報に含まれる保証項目に応じた課金情報を生成する課金情報生成工程のプログラムコードと、
を備えることを特徴とするプログラム。
【請求項１２】
原本保証を行う画像を入力する画像処理装置とネットワークを介して接続された原本保証サーバの制御を実現するプログラムであって、
前記画像処理装置から、画像の原本保証を行う際の保証項目を含む付与情報と、前記画像の特徴量を受信する受信工程のプログラムコードと、
前記受信工程で受信した前記付与情報及び前記特徴量を記憶媒体に登録する登録工程のプログラムコードと、
前記登録工程による前記記憶媒体への登録が完了した際に、前記付与情報に含まれる保証項目に応じた課金情報を生成する課金情報生成工程のプログラムコードと、
を備えることを特徴とするプログラム。
【手続補正２】
【補正対象書類名】明細書
【補正対象項目名】発明の名称
【補正方法】変更
【補正の内容】
【発明の名称】画像処理装置、原本保証サーバ及びそれらの制御方法、プログラム
【手続補正３】
【補正対象書類名】明細書
【補正対象項目名】０００１
【補正方法】変更
【補正の内容】
【０００１】
本発明は、原本保証に係る処理を行う画像処理装置、原本保証サーバ及びそれらの制御方法、プログラムに関するものである。
【手続補正４】
【補正対象書類名】明細書
【補正対象項目名】０００６
【補正方法】削除
【補正の内容】
【手続補正５】
【補正対象書類名】明細書
【補正対象項目名】０００７
【補正方法】変更
【補正の内容】
【０００７】
本発明は上記の課題を解決するためになされたものであり、原本保証において適正な課金を行うことができる画像処理装置、原本保証サーバ及びそれらの制御方法、プログラムを提供することを目的とする。
【手続補正６】
【補正対象書類名】明細書
【補正対象項目名】０００８
【補正方法】変更
【補正の内容】
【０００８】
上記の目的を達成するための本発明による画像処理装置は以下の構成を備える。即ち、
原本保証を行う画像を入力する画像入力手段と、
前記画像入力手段で入力した画像の原本保証を行う際の保証項目を、該画像の付与情報として入力する入力手段と、
前記画像入力手段で入力した画像の特徴量を抽出する抽出手段と、
前記原本保証を行う画像に関する情報を原本情報登録部に登録するために、前記画像に対応する前記付与情報及び前記特徴量を、該原本情報登録部に送信する送信手段と、
前記送信手段で送信した前記付与情報及び前記特徴量の前記原本情報登録部での登録が完了した旨を該原本情報登録部より受信した場合、前記付与情報に含まれる保証項目に応じた課金情報を生成する課金情報生成手段と、
を備える。
【手続補正７】
【補正対象書類名】明細書
【補正対象項目名】０００９
【補正方法】変更
【補正の内容】
【０００９】
また、好ましくは、原本保証を行う原稿を読み取る読取手段を更に備え、
前記画像入力手段は、前記読取手段で読み取った原稿の画像を、原本保証を行う画像として入力する。
【手続補正８】
【補正対象書類名】明細書
【補正対象項目名】００１０
【補正方法】変更
【補正の内容】
【００１０】
また、好ましくは、前記送信手段は、前記付与情報及び前記特徴量を前記原本情報登録部に、ネットワークを介して送信する。
【手続補正９】
【補正対象書類名】明細書
【補正対象項目名】００１１
【補正方法】変更
【補正の内容】
【００１１】
また、好ましくは、前記画像の識別番号を前記原本情報登録部より受信する受信手段を更に備える。
【手続補正１０】
【補正対象書類名】明細書
【補正対象項目名】００１２
【補正方法】変更
【補正の内容】
【００１２】
また、好ましくは、原本性の鑑定対象の画像に対する前記識別番号を入力する識別番号入力手段を更に備え、
前記識別番号入力手段で入力した識別番号と、前記鑑定対象の画像の特徴量とを原本情報鑑定部に送信して、該鑑定対象の原稿の鑑定結果を該原本情報鑑定部から受信する。
【手続補正１１】
【補正対象書類名】明細書
【補正対象項目名】００１３
【補正方法】変更
【補正の内容】
【００１３】
また、好ましくは、前記課金情報生成手段は、前記鑑定結果を前記原本情報鑑定部より受信した場合、該鑑定に対する課金情報を生成する。
【手続補正１２】
【補正対象書類名】明細書
【補正対象項目名】００１４
【補正方法】変更
【補正の内容】
【００１４】
上記の目的を達成するための本発明による原本保証サーバは以下の構成を備える。即ち、
原本保証を行う画像を入力する画像処理装置とネットワークを介して接続された原本保証サーバであって、
前記画像処理装置から、画像の原本保証を行う際の保証項目を含む付与情報と、前記画像の特徴量を受信する受信手段と、
前記受信手段で受信した前記付与情報及び前記特徴量を登録する登録手段と、
前記登録手段による登録が完了した際に、前記付与情報に含まれる保証項目に応じた課金情報を生成する課金情報生成手段と、
を備える。
【手続補正１３】
【補正対象書類名】明細書
【補正対象項目名】００１５
【補正方法】変更
【補正の内容】
【００１５】
また、好ましくは、前記課金情報生成手段で生成した課金情報を記憶する記憶手段を更に備える。
【手続補正１４】
【補正対象書類名】明細書
【補正対象項目名】００１６
【補正方法】削除
【補正の内容】
【手続補正１５】
【補正対象書類名】明細書
【補正対象項目名】００１７
【補正方法】削除
【補正の内容】
【手続補正１６】
【補正対象書類名】明細書
【補正対象項目名】００１８
【補正方法】削除
【補正の内容】
【手続補正１７】
【補正対象書類名】明細書
【補正対象項目名】００１９
【補正方法】変更
【補正の内容】
【００１９】
上記の目的を達成するための本発明による画像処理装置の制御方法は以下の構成を備える。即ち、
原本保証を行う画像を入力する画像入力工程と、
前記画像入力工程で入力した画像の原本保証を行う際の保証項目を、該画像の付与情報として入力する入力工程と、
前記画像入力工程で入力した画像の特徴量を抽出する抽出工程と、
前記原本保証を行う画像に関する情報を原本情報登録部に登録するために、前記画像に対応する前記付与情報及び前記特徴量を、該原本情報登録部に送信する送信工程と、
前記送信工程で送信した前記付与情報及び前記特徴量の前記原本情報登録部での登録が完了した旨を該原本情報登録部より受信した場合、前記付与情報に含まれる保証項目に応じた課金情報を生成する課金情報生成工程と、
を備える。
【手続補正１８】
【補正対象書類名】明細書
【補正対象項目名】００２０
【補正方法】変更
【補正の内容】
【００２０】
上記の目的を達成するための本発明による原本保証サーバの制御方法は以下の構成を備える。即ち、
原本保証を行う画像を入力する画像処理装置とネットワークを介して接続された原本保証サーバの制御方法であって、
前記画像処理装置から、画像の原本保証を行う際の保証項目を含む付与情報と、前記画像の特徴量を受信する受信工程と、
前記受信工程で受信した前記付与情報及び前記特徴量を記憶媒体に登録する登録工程と、
前記登録工程による前記記憶媒体への登録が完了した際に、前記付与情報に含まれる保証項目に応じた課金情報を生成する課金情報生成工程と、
を備える。
【手続補正１９】
【補正対象書類名】明細書
【補正対象項目名】００２１
【補正方法】変更
【補正の内容】
【００２１】
上記の目的を達成するための本発明によるプログラムは以下の構成を備える。即ち、
原本保証を行う画像を入力する画像入力工程のプログラムコードと、
前記画像入力工程で入力した画像の原本保証を行う際の保証項目を、該画像の付与情報として入力する入力工程のプログラムコードと、
前記画像入力工程で入力した画像の特徴量を抽出する抽出工程のプログラムコードと、
前記原本保証を行う画像に関する情報を原本情報登録部に登録するために、前記画像に対応する前記付与情報及び前記特徴量を、該原本情報登録部に送信する送信工程のプログラムコードと、
前記送信工程で送信した前記付与情報及び前記特徴量の前記原本情報登録部での登録が完了した旨を該原本情報登録部より受信した場合、前記付与情報に含まれる保証項目に応じた課金情報を生成する課金情報生成工程のプログラムコードと、
を備える。
【手続補正２０】
【補正対象書類名】明細書
【補正対象項目名】００２２
【補正方法】変更
【補正の内容】
【００２２】
上記の目的を達成するための本発明によるプログラムは以下の構成を備える。即ち、
原本保証を行う画像を入力する画像処理装置とネットワークを介して接続された原本保証サーバの制御を実現するプログラムであって、
前記画像処理装置から、画像の原本保証を行う際の保証項目を含む付与情報と、前記画像の特徴量を受信する受信工程のプログラムコードと、
前記受信工程で受信した前記付与情報及び前記特徴量を記憶媒体に登録する登録工程のプログラムコードと、
前記登録工程による前記記憶媒体への登録が完了した際に、前記付与情報に含まれる保証項目に応じた課金情報を生成する課金情報生成工程のプログラムコードと、
を備える。
【手続補正２１】
【補正対象書類名】明細書
【補正対象項目名】００２３
【補正方法】変更
【補正の内容】
【００２３】
本発明によれば、原本保証における画像の保証項目に応じて課金することで、適正な課金を行うことができる画像処理装置、原本保証サーバ及びそれらの制御方法、プログラムを提供できる。